(57)【要約】【課題】  本発明は、様々な形状・規模に設置された電線部品周りを確実に保護できるとともに、取付作業も安全且つ容易に行える防護カバーを提供することにある。【解決手段】  碍子等の配電線設備部品から延びる電線部品５周りを覆う防護カバーであって、本体１は、下端縁に沿って複数設けた嵌合部２ａを介して開閉自在に嵌合する一方パーツ１ａと他方パーツ１ｂとから構成し、一方パーツ１ａと他方パーツ１ｂは、各々を嵌合したときに電線部品５と当該電線部品に取り付ける絶縁カバー５ａ、及び電線部品５周りにある電線Ｗ及び当該電線Ｗに取り付ける絶縁用防護具６ａ，６ｂを収容可能な収容空間Ｓを形成すると共に、電線Ｗ及び絶縁用防護具６ａ，６ｂの抜出孔４ａ，４ｂ，４ｃを設けてあり、前記抜出孔４ａ，４ｂ，４ｃは、孔周縁に沿って複数の嵌合部２ａ，２ｂ，２ｃを有していることを特徴とする。【選択図】      図１（ａ）（ｂ）
2010067403.tif 000002
【特許請求の範囲】
【請求項１】
碍子等の配電線設備部品から延びる電線部品周りを覆う防護カバーであって、
本体は、下端縁に沿って複数設けた嵌合部を介して開閉自在に嵌合する一方パーツと他方パーツとから構成し、
一方パーツと他方パーツは、各々を嵌合したときに電線部品と当該電線部品に取り付ける絶縁カバー、及び電線部品周りにある電線及び当該電線に取り付ける絶縁用防護具を収容可能な収容空間を形成すると共に、電線及び絶縁用防護具の抜出孔を設けてあり、
前記抜出孔は、孔周縁に沿って複数の嵌合部を有していることを特徴とする防護カバー。
【発明の詳細な説明】
【技術分野】
【０００１】
本発明は、電線部品周りを活線作業時に防護するための防護カバーに関するものである。
【背景技術】
【０００２】
例えば、建設現場で高圧の充電部（以下、高圧充電部と記す）に接近した作業を要するときに、作業者もしくは金属物の万一の接触を防ぐため、高圧充電部に絶縁用防護具を取り付ける必要がある。
ここで絶縁用防護具の代表的なものとしては、例えば、特許文献１や特許文献２、非特許文献１にあるように、建築用防護管と呼ばれる電線を防護する線カバー、高圧充電部周りを防護するシート状カバーがある。その中でシート状カバーは、例えば、電線の引留部分、縁回し線部分、高圧カットアウトなど電線の直線部分以外の箇所を防護するときに使用するものであった。ところが、電線部品周りは、電線はもちろん電線部品や絶縁用防護具などが複雑に配置されたものであることから、作業者がシート状カバーを対象箇所に取り付けるときには、間接活線把持具を遠隔操作して作業することができずに、事実上取り付けることが不可能であった。このため、作業者が高圧充電部に接近して直接被せるものであったことから、作業中は感電事故を起こす危険性があったため、特許文献２に開示されるような、２枚の折り曲げ可能なシートの端縁に面ファスナーを有するものがあり、間接活線把持具を用いて該当箇所に取り付けできるものが登場した。
【特許文献１】実開平３−１０６８２６号公報
【特許文献２】実開平７−００９０１１号公報
【非特許文献１】「新版  高圧・特別高圧電気取扱者安全必携  −特別教育用テキスト−」、  １４０〜１４３頁、１５８〜１６４頁  平成７年７月７日  中央労働災害防止協会発行
【発明の開示】
【発明が解決しようとする課題】
【０００３】
しかしながら、特許文献２に開示される防護カバーは、柔軟なシートで構成してあるため、間接活線把持具で高所に掲げたときに、風などの影響で撓んだり捲れてしまうことがあり、しかも、複雑に配置される電線やその他電線部品の一つ一つを避けるようにシートを巻きつけるような作業を要するため、電線の引き留め箇所などを覆いにくい問題点があった。
本発明は以上のような課題を鑑み、様々な形状・規模に設置された電線部品周りを確実に防護できるとともに、取付作業も安全且つ容易に行える防護カバーを提供することにある。
【課題を解決するための手段】
【０００４】
本発明は、碍子等の配電線設備部品から延びる電線部品周りを覆う防護カバーであって、本体は、下端縁に沿って複数設けた嵌合部を介して開閉自在に嵌合する一方パーツと他方パーツとから構成し、一方パーツと他方パーツは、各々を嵌合したときに電線部品と当該電線部品に取り付ける絶縁カバー、及び電線部品周りにある電線及び当該電線に取り付ける絶縁用防護具を収容可能な収容空間を形成すると共に、電線及び絶縁用防護具の抜出孔を設けてあり、前記抜出孔は、孔周縁に沿って複数の嵌合部を有していることを特徴とする。
【発明の効果】
【０００５】
本発明によれば、一方パーツと他方パーツを嵌合したときに、防護カバーに抜出孔が形成されることで、電線や電線部品及び、これらを防護する絶縁用防護具が複雑に配置された箇所に簡単且つ確実に取り付けることができる。また、抜出孔の孔周縁には、複数の嵌合部を有していることで、抜出孔から電線や電線部品、絶縁用防護具を抜き出した状態にあっても、これらと抜出孔との隙間部分や、あるいは本発明による防護カバーの取付箇所によっては使用しない抜出孔ができたときには、嵌合部によってその抜出孔の未使用部分を塞ぐことができ、しかも、一方パーツと他方パーツの嵌合箇所が増えると共に嵌合強度も高まるため、電線部品まわりの状況に対応して確実に防護できる。また、本体を構成する一方パーツと他方パーツが開閉自在であり、間接活線把持具を用いた遠隔作業によっても本体を対象箇所から容易に取り外せるので、高圧充電部周りのメンテナンスなどを安全且つ効率的に行える。
【発明を実施するための最良の形態】
【０００６】
以下、本発明の防護カバーの実施形態を図面に基づいて説明する。
図１（ａ）は、本実施による防護カバーを電線部品周りに取り付けたときの使用状態を示す一部を切欠した側面図であり、（ｂ）は、（ａ）の一部を切欠した側面図である。図２（ａ）（ｂ）は、本実施による防護カバーの斜視図である。図３（ａ）（ｂ）（ｃ）（ｄ）は、本実施による防護カバーの図であり、（ａ）は、一方パーツ側から見た側面図であり、（ｂ）は、他方パーツの側から見た側面図であり、（ｃ）は、正面図であり、（ｄ）は、平面図である。図４（ａ）（ｂ）（ｃ）は、本実施による防護カバーの取付手順を示す側面図及び正面図である。
【０００７】
本実施形態では、具体的に、本実施による防護カバーを絶縁カバー５ａに有する電線引留部品（以下、電線部品と記す）５周りに取り付けるものについて説明する。
ここで、本防護カバーを取り付ける電線部品５について説明すると、一般に引留クランプとも呼ばれており、電線Ｗを碍子１３側に寄せて引き留めるときに使用するものである。
【０００８】
次に本実施による防護カバーは、図１（ａ）（ｂ）、図２（ａ）（ｂ）及び図３（ａ）〜（ｄ）に示すように、その全体が略三角形をなしており、本体１は、電柱Ｔ，Ｔ間に架設される電線Ｗが架設してある方向に沿う一方側端部（図１（ａ）に図示する右側）と上端部、そして、碍子１３に寄る側の本体１の他方側端部の三箇所には、長孔状をなす防護管用抜出孔（抜出孔）４ａ、蛇腹管用抜出孔（抜出孔）４ｂ、碍子側抜出孔（抜出孔）４ｃをそれぞれ設けてある。さらに、本体１は、すでに電柱Ｔ，Ｔ間に架設してある電線Ｗに取り付けることから、上端部を連結部１１で連結した本体１が下方を開閉可能に分割できる略一対形状をなす椀型の一方パーツ１ａと他方パーツ１ｂで構成してあり、一方パーツ１ａと他方パーツ１ｂを嵌合したときには、本体１の内部に電線部品５と当該電線部品５に取り付ける絶縁カバー５ａ、及び電線部品５周りにある電線Ｗ及び当該電線Ｗに取り付ける絶縁用防護具６ａ，６ｂを収容可能な収容空間Ｓを形成する。また、本体１は、肉厚が約２〜３ｍｍ程度のポリエチレン樹脂で成形してあり、取り付け時に風などの影響で変形しにくいように比較的硬質に形成してある。
また、本体１の各抜出孔４ａ，４ｂ，４ｃは、電線Ｗ及び防護管（絶縁用防護具）６ａ、蛇腹管（絶縁用防護具）６ｂ、碍子１３に連続する絶縁カバー５ａの一部よりも余裕をもって大きく開口しており、本防護カバーを電線部品５周りに取り付けたときに、風や自然振動による電線Ｗの撓みを規制しないようになっている。また、本体１の上端部側にある抜出孔４ｂの周縁には、ヒレ状をなす嵌合部２ｂが複数設けてある。これにより、蛇腹管６ｂのような比較的フレキシブルな絶縁用防護具を本防護カバーの外に適宜な角度で抜き出すと共に、抜き出し箇所以外にある嵌合部２ｂ同士を嵌合することで、蛇腹管６ｂを抜出孔４ｂから抜き出しつつも、電線部品５周りを確実に保持した状態で一方パーツ１ａと他方パーツ１ｂを嵌合できる。また、一方パーツ１ａ及び他方パーツ１ｂの上端縁に沿ってヒレ部７が略上方に向けて張り出しており、そのヒレ部７同士を複数の連結部１１で止めて本体１の下端縁側が開閉自在となるように形成してある。また、本体１の下端縁に沿っては、凹部と凸部で嵌め合わさる嵌合部２ａを複数設けてあり、これにより、一方パーツ１ａと他方パーツ１ｂを閉じたり開いたりできる。
【０００９】
本実施による防護カバーを電線部品５周りに取り付けるときの手順について、図４（ａ）〜（ｃ）に基づいて以下に説明する。
まず第一の手順として、一方パーツ１ａと他方パーツ１ｂが開いた状態にある本体１を電線部品５周りに対して上方から徐々に近づけると共に、二本の間接活線把持具１２を用いて一方パーツ１ａと他方パーツ１ｂの側面にそれぞれ設けてある被把持部９を掴んで開いた状態にし、そのまま被せていく。
次に第二の手順として、電線部品５周りに被せてある本体１の下端側にある各嵌合部２ａを、間接活線把持具１２を用いて順次嵌合していき、防護管用抜出孔（抜出孔）４ａから防護管６ａを抜き出した状態で被せる。
次に第三の手順として、本体１における碍子１３側に向く碍子側抜出孔（抜出孔）４ｃの嵌合部２ｃを間接活線把持具１２で嵌合する。
最後に、本体１における蛇腹管６ｂを抜き出してある蛇腹管用抜出孔（抜出孔）４ｂの嵌合部２ｂを間接活線把持具１２により嵌合することで、本防護カバーを電線部品５周りに取り付ける作業が完了する。
尚、各抜出孔４ａ，４ｂ，４ｃの嵌合部２ａ，２ｂ，２ｃを嵌合する順番については、前述した手順に限るものではなく、いずれの抜出孔４ａ，４ｂ，４ｃから作業を始めてもよい。また、間接活線把持具１２は、上記実施によるものでは２本で作業を行うものについて開示したが、その使用本数については、例えば、現場状況や作業者によって適宜変更されるものである。さらに、上記実施によるものでは、本防護カバーを予め防護管６ａが抜き出された状態で被せたものについて開示したが、本防護カバーを被せた後に防護管６ａを取り付けることもできる。
【００１０】
本発明の防護カバーは、前述した形態のものに適用を限定するものではない。例えば、電線Ｗについては電柱Ｔ，Ｔ間を略水平に架設されるものであるから、本体１の外部に電線Ｗを抜き出す方向については、おおよそ左右に対向して略平行な位置関係となるものであるが、その他の蛇腹管６ｂなどは不規則に湾曲するものや、また、電線Ｗの長さや配置関係によって本体１から抜き出す方向が適宜変更されることから、各抜出孔４ａ，４ｂ，４ｃのそれぞれの位置についても変更する必要がある。また、素材についても上記実施形態ではポリエチレン樹脂で成形したものを説明しているが、その他ＡＳ樹脂（アクリルニトリルスチレン樹脂）などでもよい。
【図面の簡単な説明】
【００１１】
【図１（ａ）（ｂ）】（ａ）は、本実施による防護カバーを電線引留部品周りに取り付けたときの使用状態を示す一部を切欠した側面図であり、（ｂ）は、（ａ）の一部を切欠した側面図である。
【図２（ａ）（ｂ）】（ａ）（ｂ）は、本実施による防護カバーの斜視図である。
【図３（ａ）（ｂ）（ｃ）（ｄ）】本実施による防護カバーの図面であり、（ａ）は、一方パーツ側から見た側面図であり、（ｂ）は、他方パーツ側から見た側面図であり、（ｃ）は、正面図であり、（ｄ）は、平面図である。
【図４（ａ）（ｂ）（ｃ）】（ａ）（ｂ）（ｃ）は各々、本実施による防護カバーの取付手順を示す側面図及び正面図である。
【符号の説明】
【００１２】
１  本体
１ａ  一方パーツ
１ｂ  他方パーツ
２ａ，２ｂ，２ｃ  嵌合部
４ａ  防護管用抜出孔（抜出孔）
４ｂ  蛇腹管用抜出孔（抜出孔）
４ｃ  碍子側抜出孔（抜出孔）
５  電線部品         
５ａ  絶縁カバー
６ａ  防護管（絶縁用防護具）
６ｂ  蛇腹管（絶縁用防護具）
１３  碍子
１１  連結部
Ｓ  収容空間
Ｔ  電柱
Ｗ  電線
【図１（ａ）（ｂ）】
2010067403.tif 000003
【図２（ａ）（ｂ）】
2010067403.tif 000004
【図３（ａ）（ｂ）（ｃ）（ｄ）】
2010067403.tif 000005
【図４（ａ）（ｂ）（ｃ）】
2010067403.tif 000006